(57)【特許請求の範囲】
【請求項１】
原水から酸性水およびアルカリ性水を生成する電解水生成ユニットと、
前記電解水生成ユニットから送水された酸性水に水素ナノバブルと薬液とが混合された微細気泡酸性水、または前記電解水生成ユニットから送水されたアルカリ性水に水素ナノバブルが混合された微細気泡アルカリ性水のいずれか一方、または両方を輸液として生成するナノバブル混合ユニットとを備え、
前記ナノバブル混合ユニットは、酸性水とアルカリ性水とのそれぞれにナノバブルを混合して微細気泡酸性水と微細気泡アルカリ性水とにする微細気泡混合器と、前記微細気泡混合器からの微細気泡酸性水と微細気泡アルカリ性水とを貯留するタンクと、前記微細気泡混合器と前記タンクとの間で、微細気泡酸性水と微細気泡アルカリ性水とを循環させる配管とを備えた輸液生成装置。
【請求項２】
前記ナノバブル混合ユニットは、前記アルカリ性水に混合気体として、更に炭酸ガスが混合された輸液を生成する請求項１記載の輸液生成装置。
【請求項３】
前記ナノバブル混合ユニットは、前記アルカリ性水に混合気体として、更に酸素ガスと栄養素とが混合された輸液を生成する請求項１または２記載の輸液生成装置。
【発明の詳細な説明】
【技術分野】
【０００１】
本発明は、薬液を病変細胞へ直接送ることができる輸液生成装置に関するものである。
【背景技術】
【０００２】
輸液による癌治療としては、全身化学療法と局所化学療法とがあり、癌の病状によって効果的な治療法が選択される。
全身化学療法は、静脈への点滴によって輸液を全身に巡らせる治療である。従って、輸液は、原発巣だけでなく、転移巣や病巣に到達するので、広範囲の治療が施せる。しかし、輸液が全身を巡る際に、血液によって希釈されるため、効果が小さくなるという欠点がある。
局所化学療法は、肝細胞癌などの肥大化した腫瘍が局所に留まり、まだ転移が少ない場合に主に行われる治療である。局所化学療法は、カテーテルを挿入して病巣の近くまで進め、病巣まで最短距離で輸液を注入するため、薬液の投与量を少なくすることができ、正常細胞への進入量を少なくすることができる。従って、局所化学療法は、副作用を軽減することができる。また、転移があった場合は、腫瘍の縮小後、全身化学療法に切り替え原発巣と転移巣の治療を行い根治へと繋げる。
【０００３】
カテーテル治療では、栄養動脈を塞ぎ止め、癌への栄養を断ち虚血の状態を作り出す薬剤溶出性塞栓物質を、カテーテルにより腫瘍内に、集中的に、かつ数時間または、数日間にわたって送り込むもので、手術ができないところや転移したものにも効果がある治療法である。
【０００４】
このように治療に使用される輸液であるが、輸液について、特許文献１に記載されたものが知られている。特許文献１の輸液は、超微細状態の酸素ナノバブルを含有することが記載されている。この輸液は、ナノバブルの直径は１〜１０００ｎｍの範囲にあり、塩分を０．０１〜３．５重量％で含むものである。
【先行技術文献】
【特許文献】
【０００５】
【特許文献１】特開２０１１−１２７１号公報
【発明の概要】
【発明が解決しようとする課題】
【０００６】
特許文献１の輸液は、全身または局所超低体温法による外科手術、脳の選択的冷却法による開頭手術、脳の選択的冷却法による脳低温療法、例えば脳卒中（特に脳梗塞）および外傷性脳損傷の治療、末梢循環不全症の治療、及び末梢循環不全により活性の低下した末梢細胞・組織の活性化などに用いることが記載されている。
癌治療においても、効果的な治療が得られる輸液が求められている。
【０００７】
そこで本発明は、優れた治療効果を有する輸液を生成することができる輸液生成装置を提供することを目的とする。
【課題を解決するための手段】
【０００８】
本発明の輸液生成装置は、原水から酸性水およびアルカリ性水を生成する電解水生成ユニットと、前記電解水生成ユニットから送水された酸性水に水素ナノバブルと薬液とが混合された微細気泡酸性水、または前記電解水生成ユニットから送水されたアルカリ性水に水素ナノバブルが混合された微細気泡アルカリ性水のいずれか一方、または両方を輸液として生成するナノバブル混合ユニットとを備えたことを特徴とする。
【００１１】
本発明によれば、酸性水に水素ナノバブルと薬液とが混合された微細気泡酸性水は、高い浸透性があり、マイナス電位となるため、プラス電位となる病巣に引き寄せられるので、水素ナノバブルを病変細胞への進入口に進入させることができる。また、水素ナノバブルを含有した微細気泡アルカリ性水が血液中を流れることで、血管の内壁に付着した脂質やコルステロールなどの付着物を分解して血管から引き剥がし除去することができる。
また、微細気泡混合器とタンクとの間で、微細気泡酸性水と微細気泡アルカリ性水とを循環させることで、ナノバブルの濃度を増加させると共に、気泡サイズを更に微細化することができる。
【００１２】
本発明の輸液生成装置においては、前記ナノバブル混合ユニットが、前記アルカリ性水に混合気体として、更に炭酸ガスが混合された輸液を生成することが望ましい。
炭酸ナノバブルを含有したアルカリ性水は、血液中に溶解した老廃物を吸着して排出することができ、血行を促進するため、血行状態を良好なものとすることができる。
【００１３】
前記ナノバブル混合ユニットは、前記アルカリ性水に混合気体として、更に酸素ガスと栄養素とが混合された輸液を生成することが望ましい。
酸素ナノバブルが含まれる微細気泡アルカリ性水に、血液中の酵素の栄養素を混合しているため血液中の酵素を活性化させることができる。
【００１４】
前記ナノバブル混合ユニットは、酸性水とアルカリ性水とのそれぞれにナノバブルを混合して微細気泡酸性水と微細気泡アルカリ性水とする微細気泡混合器と、前記微細気泡混合器からの微細気泡酸性水と微細気泡アルカリ性水とを貯留するタンクと、前記微細気泡混合器と前記タンクとの間で、微細気泡酸性水と微細気泡アルカリ性水とを循環させる配管とを備えたことが望ましい。
微細気泡混合器とタンクとの間で、微細気泡酸性水と微細気泡アルカリ性水とを循環させることで、ナノバブルの濃度を増加させると共に、気泡サイズを更に微細化することができる。
【発明の効果】
【００１５】
本発明によれば、水素ナノバブルを病変細胞への進入口に進入させ、薬液を腫瘍内に放出させるため、最適な薬剤溶出性塞栓物質とすることができるので、優れた治療効果を有する輸液を生成することができる。
【図面の簡単な説明】
【００１６】
【図１】本発明の実施の形態に係る輸液生成装置の構成を示す図である。
【図２】図１に示す輸液生成装置の電解生成ユニットの構成を説明するための図である。
【図３】図１に示す輸液生成装置のナノバブル混合ユニットの構成を説明するための図である。
【図４】血液中の輸液の状態を説明するための図である。
【図５】輸液を患者に点滴により注入した状態を説明するための図である。
【図６】輸液を患者にカテーテルにより注入した状態を説明するための図である。
【発明を実施するための形態】
【００１７】
本発明の実施の形態に係る輸液生成装置を図面に基づいて説明する。
図１に示すように、本発明の実施の形態に係る輸液生成装置１０は、点滴やカテーテル、静脈注射により投与される輸液を生成するものである。輸液生成装置１０は、電解水生成ユニット２０と、ナノバブル混合ユニット３０とを備えている。電解水生成ユニット２０と、ナノバブル混合ユニット３０とは、ホースＨ１，Ｈ２の先端とナノバブル混合ユニット３０とに形成されたカップラＣ１，Ｃ２によりに連結される。
【００１８】
電解水生成ユニット２０は、純水を原水として、酸性水およびアルカリ性水を生成して、ナノバブル混合ユニット３０へ送水するものである。
図２に示すように、電解水生成ユニット２０は、原水として使用される不純物を含まない、または少ない純水を貯留する純水タンク２１を備えている。純水タンク２１には、純水タンク２１に貯留された純水を汲み上げ、フィルタ２２へ送水するポンプＰ２１が接続されている。フィルタ２２は、純水を酸性水とアルカリ性水とに電解する電解水生成部２３が接続されている。フィルタ２２と電解水生成部２３との間には、塩化ナトリウムの添加を調整する調整弁Ｖ２１が接続されている。
【００１９】
電解水生成部２３には、酸性水を貯留する酸性水用タンク２４と、アルカリ性水を貯留するアルカリ性水用タンク２５とが接続されている。酸性水用タンク２４と、アルカリ性水用タンク２５とには、ホースＨ１，Ｈ２が接続されている。
【００２０】
図３に示すように、ナノバブル混合ユニット３０は、電解水生成ユニット２０から送水された酸性水およびアルカリ性水にナノバブルを混合すると共に、薬液や栄養素などを混合して微細気泡酸性水および微細気泡アルカリ性水とし、この微細気泡酸性水および微細気泡アルカリ性水を混合した微細気泡混合電解水を輸液として生成するものである。
【００２１】
ナノバブル混合ユニット３０では、電解水生成ユニット２０からの酸性水とマイクロバブルとを混合する第１微細気泡混合器３０１（微細気泡混合器）が、自動三方弁Ｖ３１を介して接続されている。また、電解水生成ユニット２０からのアルカリ性水とマイクロナノバブルとを混合する第２微細気泡混合器３０２（微細気泡混合器）が、自動三方弁Ｖ３２を介して接続されている。
【００２２】
第１微細気泡混合器３０１は、水素ガス、酸素ガスまたは炭酸ガスを、混合気体としてマイクロバブルにして酸性水に混合すると共に、薬液を酸性水に混合する第１気液混合器３０１ａと、マイクロバブルを混合した酸性水を圧送する第１ポンプ３０１ｂと、酸性水に混合された水素ガスの気泡をナノバブルのサイズまで細かくする第１微細化器３０１ｃとを備えている。
【００２３】
また、第２微細気泡混合器３０２は、水素ガスをマイクロバブルにしてアルカリ性水に混合すると共に、薬液や栄養素を混合する第２気液混合器３０２ａと、マイクロバブルを混合したアルカリ性水を圧送する第２ポンプ３０２ｂと、アルカリ性水に混合された水素ガスの気泡をナノバブルのサイズまで細かくする第２微細化器３０２ｃとを備えている。
【００２４】
第１微細化器３０１ｃには、酸性水貯蔵タンク３０３（タンク）の注水側が接続されている。更に、酸性水貯蔵タンク３０３の取水側が、自動三方弁Ｖ３１に接続されていることで、第１微細気泡混合器３０１と、酸性水貯蔵タンク３０３と、自動三方弁Ｖ３１と、これを接続する配管とにより、循環路が形成されている。
【００２５】
第２微細化器３０２ｃには、アルカリ性水貯蔵タンク３０４（タンク）の注水側が接続されている。更に、アルカリ性水貯蔵タンク３０４の取水側が、自動三方弁Ｖ３２に接続されていることで、第２微細気泡混合器３０２と、アルカリ性水貯蔵タンク３０４と、自動三方弁Ｖ３２と、これを接続する配管とにより、循環路が形成されている。
【００２６】
第１気液混合器３０１ａには、電気分解により水素ガスを発生する電気分解部３０５が自動弁Ｖ３３を介して接続されている。また、第１気液混合器３０１ａには、薬液を添加する薬液投入部３０６が接続されている。薬液は、全身化学療法や局所化学療法に用いられる従来の薬液が使用できる。
【００２７】
第２気液混合器３０２ａには、水素ガスを流入させたり遮断したりする自動弁Ｖ３３と、酸素ガスを流入させたり遮断したりする自動弁Ｖ３４とを介して電気分解部３０５が接続されている。また、第２気液混合器３０２ａには、自動弁Ｖ３５を介して炭酸ガスを供給する炭酸ガスカートリッジ３０７が接続されている。また、第２気液混合器３０２ａにも、薬液を添加する薬液投入部３０６が接続されている。更に、第２気液混合器３０２ａには、マグネシウムなどの酵素に対する栄養素を添加する栄養素投入部３０８が接続されている。
【００２８】
酸性水貯蔵タンク３０３には、微生物を死滅させる第１殺菌部３０９を介して酸性水貯留部３１０が接続されている。また、アルカリ性水貯蔵タンク３０４には、微生物を死滅させる第２殺菌部３１１を介してアルカリ性水貯留部３１２が接続されている。
酸性水貯留部３１０とアルカリ性水貯留部３１２とには、微細気泡酸性水を酸性水貯蔵タンク３０３から引き込むと共に、微細気泡アルカリ性水をアルカリ性水貯蔵タンク３０４から引き込むためのポンプＰ３１が接続されている。
【００２９】
酸性水貯留部３１０の取水側とアルカリ性水貯留部３１２の取水側とは、調整弁Ｖ３６，Ｖ３７を介してＹ字状に形成された配管の合流部３１３によって接続されている。そして、合流部３１３は、調整弁Ｖ３８を介して、点滴やカテーテルを使用するときに外部と接続するための連結部３１４に接続されている。
【００３０】
図２に示す電解水生成ユニット２０の調整弁Ｖ２１の開閉および閉鎖と、ポンプＰ１１の始動および停止とは、電解水生成ユニット２０に内蔵された制御部２６により制御される。また、図３に示すナノバブル混合ユニット３０の自動三方弁Ｖ３１，Ｖ３２、自動弁Ｖ３３〜Ｖ３５および調整弁Ｖ３６〜Ｖ３８の開閉、閉鎖および切替と、第１ポンプ３０１ｂ，第２ポンプ３０２ｂ，ポンプＰ３１の始動および停止とは、ナノバブル混合ユニット３０に内蔵された制御部３１５により制御される。
【００３１】
制御部３１５による制御により、酸性水貯留部３１０の取水側に接続された調整弁Ｖ３６と、アルカリ性水貯留部３１２の取水側に接続された調整弁Ｖ３７を調整することで、酸性水貯留部３１０側から微細気泡酸性水のみとしたり、アルカリ性水貯留部３１２から微細気泡アルカリ性水のみとしたり、混合比率を変えたりして、連結部３１４へ送水することができる。
【００３２】
以上のように構成された本発明の実施の形態に係る輸液生成装置１０の動作および使用状態を図面に基づいて説明する。
図１に示す輸液生成装置１０を始動させると、まず、ポンプＰ１１が純水タンク２１から原水としての純水を汲み上げる。純水は、フィルタ２２により、純水に含まれるわずかな金属や微生物などの不純物が除去される。そして、純水には、調整弁Ｖ２１により調整された量の電解質である塩化ナトリウムが添加される。
【００３３】
そして、電解水生成部２３により、塩化ナトリウムが添加された純水に基づいて酸性水とアルカリ性水とが生成され、酸性水は酸性水用タンク２４に貯留され、アルカリ性水はアルカリ性水用タンク２５に貯留される。
【００３４】
酸性水用タンク２４に貯留された酸性水はホースＨ１を介して、また、アルカリ性水はアルカリ性水用タンク２５に貯留されたアルカリ性水はホースＨ２を介して、ナノバブル混合ユニット３０に導入される。
【００３５】
ナノバブル混合ユニット３０では、まず、酸性水は自動三方弁Ｖ３１を介して第１微細気泡混合器３０１の第１気液混合器３０１ａに送水される。
第１気液混合器３０１ａでは、電気分解部３０５が電気分解によって得た水素ガスをマイクロバブルにして酸性水に混合する。このとき、薬液投入部３０６からの薬液も第１気液混合器３０１ａに転換される。
そして、第１ポンプ３０１ｂにより水素ガスと薬液とが混合された酸性水が圧送され、第１微細化器３０１ｃが水素ガスの気泡をナノバブルのサイズまで細かくして、酸性水を微細気泡酸性水とする。第１微細化器３０１ｃからの微細気泡酸性水は、酸性水貯蔵タンク３０３に貯留される。
【００３６】
次に、酸性水貯蔵タンク３０３からの微細気泡酸性水は、自動三方弁Ｖ３１を介して、再び、第１気液混合器３０１ａへ送水されることで水素ガスが混合され、第１ポンプ３０１ｂによる送水により第１微細化器３０１ｃで更に気泡サイズが微細化される。そして、第１微細化器３０１ｃからの微細気泡酸性水は酸性水貯蔵タンク３０３に戻る。
【００３７】
このように、第１微細気泡混合器３０１と、酸性水貯蔵タンク３０３と、自動三方弁Ｖ３１とを順に接続する配管により、微細気泡酸性水を循環させることで、ナノバブルの濃度を増加させると共に、気泡サイズを更に微細化することができる。
【００３８】
また、電解水生成ユニット２０からのアルカリ性水も同様に、自動三方弁Ｖ３２と、電気分解部３０５から供給された水素ガスまたは酸素ガス、炭酸ガスカートリッジ３０７から供給された炭酸ガス、薬液、栄養素などがアルカリ性水に混合され、気泡が微細化された微細気泡アルカリ性水とする第２微細気泡混合器３０２と、そして微細気泡アルカリ性水を貯留するアルカリ性水貯蔵タンク３０４とを順に接続する配管により、微細気泡アルカリ性水を循環させることで、ナノバブルの濃度を増加させると共に、気泡サイズを更に微細化することができる。なお、本実施の形態では、酸性水のみに薬液を混合しており、ナノバブル混合ユニット３０としてはアルカリ性水にも薬液を混合できるが、患者に投与する輸液としては、アルカリ性水に薬液を混合していない。
【００３９】
酸性水貯蔵タンク３０３に貯留された微細気泡酸性水と、アルカリ性水貯蔵タンク３０４に貯留された微細気泡アルカリ性水とは、ポンプＰ３１が酸性水貯留部３１０と、アルカリ性水貯留部３１２内を吸引することによる負圧で、酸性水貯蔵タンク３０３とアルカリ性水貯蔵タンク３０４から取水され、酸性水貯留部３１０とアルカリ性水貯留部３１２とに注水される。
【００４０】
酸性水貯留部３１０に注水された微細気泡酸性水と、アルカリ性水貯留部３１２に注水された微細気泡アルカリ性水とは、調整弁Ｖ３６，Ｖ３７により調整された量が、合流部３１３により混合されて、微細気泡混合電解水が生成される。
合流部３１３からの微細気泡混合電解水は、調整弁Ｖ３８によって調整され、連結部３１４から外部へ輸液として送水される。
【００４１】
このように、ナノバブル混合ユニット３０では、酸性水に水素ガスおよび薬液を選択的に混合でき、アルカリ性水に水素ガス、酸素ガス、炭酸ガスを選択的に混合できる。
また、ナノバブル混合ユニット３０では、酸性水にナノバブルを含んだ微細気泡酸性水と、アルカリ性水にナノバブルを含んだ微細気泡アルカリ性水とのいずれかの一方としたり、両方を混合させたりすることができる。
また、制御部３１５は、栄養素投入部３０８を制御して栄養素をアルカリ性水に適宜添加する。
【００４２】
本実施の形態では、輸液として、制御部３１５が自動弁や調整弁を制御して、次の４種類の微細気泡酸性水と微細気泡アルカリ性水とを生成している。
例えば、輸液は、（１）酸性水に水素ナノバブルと薬液とを混合した微細気泡酸性水、（２）アルカリ性水に水素ナノバブルを混合した微細気泡酸性水、（３）アルカリ性水に炭酸ナノバブルを混合した微細気泡酸性水、（４）アルカリ性水に酸素ナノバブルを混合した微細気泡酸性水である。
【００４３】
ここで、輸液生成装置１０が生成する輸液について詳細に説明する。
本実施の形態では、輸液として生成される微細気泡酸性水は、酸性水に水素ガスによるナノバブル（以下、水素ナノバブルと称す。）と薬液が混合されたものである。
また、微細気泡アルカリ性水は、アルカリ性水に、水素ガス、炭素ガスまたは酸素ガスによるナノバブル（以下、炭酸ガスによるナノバブルを炭素ナノバブル、酸素ガスによる酸素ナノバブルと称す。）を混合したものである。
【００４４】
本実施の形態では、微細気泡混合電解水Ｗ（輸液）は、制御部３１５による調整弁Ｖ３６，Ｖ３７（図３参照）の切り替えにより薬液を含む微細気泡酸性水としているため、ナノバブル混合ユニット３０内（酸性水貯留部３１０とアルカリ性水貯留部３１２からの合流部３１３）にて微細気泡酸性水と微細気泡アルカリ性水とが混合されることがないが、微細気泡酸性水と微細気泡アルカリ性水とを別々に血液中に注入することで、血液中で混合した状態となる。
【００４５】
図４に示すように、酸性水ＡCに水素ナノバブルＢHと薬液Ｍとを混合すると、水素ナノバブルＢHがマイナス電位となり、薬液Ｍがプラス電位となる。そのため、薬液Ｍが、酸性水ＡCによって包囲された水素ナノバブルＢHの周囲に引き寄せられ、囲むように集まることで、水素ナノバブルＢHが中空カプセル構造として構成される。
また、アルカリ性水ＡLに酸素ナノバブルＢOと栄養素Ｎとを混合すると、酸素ナノバブルＢOがマイナス電位となり、栄養素Ｎがプラス電位となる。そのため、栄養素Ｎが、アルカリ性水ＡLによって包囲された酸素ナノバブルＢOの周囲に引き寄せられ、囲むように集まることで、酸素ナノバブルＢOが中空カプセル構造として構成される。
【００４６】
微細気泡酸性水の酸性水と微細気泡アルカリ性水のアルカリ性水とが混合すると、中和するが、ナノバブルがマイナス電位を有することで、ナノバブル同士が反発し合い、ナノバブルは結合しない。
従って、図４に示す酸性水ＡCによる水素ナノバブルＢHや、アルカリ性水ＡLによる水素ナノバブルＢH、アルカリ性水ＡLによる酸素ナノバブルＢO、アルカリ性水ＡLによる炭酸ナノバブルＢCは、それぞれが結合することなく血液中を浮遊しながら流れる。
そのため、酸性水によって包囲されたナノバブルは酸性を維持し、アルカリ性水によって包囲されたナノバブルもアルカリ性を維持するため、酸性水およびアルカリ性水によるナノバブルは、血液中においても、酸性およびアルカリ性の効果を得ることができる。
【００４７】
従って、水素ナノバブルＢによる中空カプセルは、酸性水の特性を維持した状態で、薬液を含む酸性水を病変細胞に到達させることができる。
このようにして、輸液が、点滴やカテーテルによって血管中の血液に送出されることで、ナノバブルによる中空カプセル構造によって、薬液が搬送される。
【００４８】
図５に示すように、点滴による全身化学療法であれば、輸液が静脈血管に供給され、心臓を通過して動脈に流れる。輸液は、体全体の血管を流れるため、原発巣だけでなく転移巣まで到達する。
また、図６に示すようにカテーテルによる局所化学療法であれば、病変細胞に向けて集中的に輸液を供給することができる。
【００４９】
血管に面した病変細胞への進入口は、正常細胞に比べ病変細胞の方が大きいため、図３に示す第２微細化器３０２ｃによる気泡の微細化（ナノバブル）の粒子径（気泡径）を、正常細胞には進入できずに、病変細胞へは進入できる大きさとすることで、水素ナノバブルＢ（図４参照）の中空カプセル構造による薬液Ｍを、原発巣や転移巣に送り込むことができる。
【００５０】
制御部３１５は、次に述べる順序にて輸液を患者に投与する。
まず、制御部３１５は、アルカリ性水に水素ガスと炭酸ガスとをナノバブルとして混合した微細気泡アルカリ性水を微細気泡混合電解水として、連結部３１４に接続されたチューブに送水して、患者に投与する。
【００５１】
水素ナノバブルを含有した微細気泡アルカリ性水が血液中を流れることで、血管の内壁に付着した脂質やコルステロールなどの付着物を分解して血管から引き剥がし除去することができる。
また、炭酸ナノバブルを含有したアルカリ性水は、血液中に溶解した老廃物を吸着して排出することができ、血行を促進するため、血行状態を良好なものとすることができる。更に、微細気泡アルカリ性水の炭酸ナノバブルは、消化機能を活性化させることができる。
従って、水素ナノバブルと、炭酸ナノバブルとを含む微細気泡アルカリ性水を微細気泡混合電解水として輸液とすることで、血管を洗浄することができる。
【００５２】
次に、制御部３１５は、酸性水に水素ガスをナノバブルとして混合した微細気泡酸性水を微細気泡混合電解水として、連結部３１４に接続されたチューブに送水して、患者に投与する。
【００５３】
水素ナノバブルが含まれる微細気泡酸性水は、高い浸透性があり、マイナス電位となるため、プラス電位となる病巣に引き寄せられるので、水素ナノバブルを病変細胞への進入口に進入させることができる。従って、水素ナノバブルが中空カプセルとして機能することで、進入口を満杯にして完全な塞栓状態を作り、腫瘍への栄養を断ち、活性水素で腫瘍の元となった活性酸素と結合して水に還元する。同時に水素ナノバブルが数時間にわたって崩壊することで、薬液を腫瘍内に放出する。このように、微細気泡酸性水に含まれる水素ナノバブルを、最適な薬剤溶出性塞栓物質とすることができる。
【００５４】
水素ナノバブルは、約４時間程度で消滅するが、炭酸ナノバブルはそれ以上消滅することなく血液中を浮遊する。従って、炭酸ナノバブルを水素ナノバブルと一緒にアルカリ性水に含ませた微細気泡アルカリ性水を投与した後に、水素ナノバブルを含む微細気泡酸性水を投与するときには、炭酸ナノバブルを含むアルカリ性水の投与をしなくても、先の投与で、炭酸ナノバブルを含むアルカリ性水の効果が維持される。
【００５５】
酸性水が有する殺菌力は、蛋白質や血餅があると瞬時にその機能を失ってしまう。そこで、微細気泡アルカリ性水に含まれるナノバブルを水素ナノバブルとすることで、蛋白質や血餅の付着物を浮かし溶解させることで、酸性水が有する殺菌力を維持させることができる。
【００５６】
最後に、制御部３１５は、アルカリ性水に酸素ガスと炭酸ガスとをナノバブルとして混合した微細気泡アルカリ性水を微細気泡混合電解水として、連結部３１４に接続されたチューブに送水して、患者に投与する。アルカリ性水に酸素ガスを混合するときに、制御部３１５が栄養素投入部３０８に指示して栄養素をアルカリ性水に添加する。
酸素ナノバブルが含まれる微細気泡アルカリ性水に、血液中の酵素に対する栄養素が添加されるため酵素を活性化させることができる。
【００５７】
このように、水素ナノバブルによる微細気泡酸性水に含まれる薬液により治癒させつつ、微細気泡アルカリ性水での酵素の活性化による抗酸化作用により、弱体化した病変細胞を健全細胞に置き換えることができる。このようなプロセスを繰り返すことで、自然治癒力を高め病状を回復させることができる。
【００５８】
上記実施の形態では、輸液生成装置１０は、微細気泡酸性水のみ、または微細気泡アルカリ性水のみを、適宜、輸液として生成して患者に投与していたが、微細気泡酸性水と微細気泡アルカリ性水とを、制御部３１５の制御により混合して輸液として生成することもできる。
【産業上の利用可能性】
【００５９】
本発明の輸液生成装置は、運動が困難な患者が入院する病院や、老齢者が入居する施設などに好適である。
【符号の説明】
【００６０】
１０  輸液生成装置
２０  電解水生成ユニット
２１  純水タンク
２２  フィルタ
２３  電解水生成部
２４  酸性水用タンク
２５  アルカリ性水用タンク
２６  制御部
３０  ナノバブル混合ユニット
３０１  第１微細気泡混合器
３０１ａ  第１気液混合器
３０１ｂ  第１ポンプ
３０１ｃ  第１微細化器
３０２  第２微細気泡混合器
３０２ａ  第２気液混合器
３０２ｂ  第２ポンプ
３０２ｃ  第２微細化器
３０３  酸性水貯蔵タンク
３０４  アルカリ性水貯蔵タンク
３０５  電気分解部
３０６  薬液投入部
３０７  炭酸ガスカートリッジ
３０８  栄養素投入部
３０９  第１殺菌部
３１０  酸性水貯留部
３１１  第２殺菌部
３１２  アルカリ性水貯留部
３１３  合流部
３１４  連結部
３１５  制御部
Ｈ１，Ｈ２  ホース
Ｃ１，Ｃ２  カップラ
Ｐ１１  ポンプ
Ｐ２１  ポンプ
Ｐ３１  ポンプ
Ｖ２１  調整弁
Ｖ２４  自動三方弁
Ｖ３１  自動三方弁
Ｖ３２  自動三方弁
Ｖ３３  自動弁
Ｖ３４  自動弁
Ｖ３５  自動弁
Ｖ３６，Ｖ３７，Ｖ３８  調整弁
Ｍ  薬液
Ａ  酸性水
Ｂ  水素ナノバブル
Ｓ  膜部分
Ｗ  微細気泡混合電解水
【図１】
0006351044.tif 000002
【図２】
0006351044.tif 000003
【図３】
0006351044.tif 000004
【図４】
0006351044.tif 000005
【図５】
0006351044.tif 000006
【図６】
0006351044.tif 000007